(57)【要約】【課題】アナログ及びデジタルのラジオ放送を受信可能であって、ノイズの発生が十分に抑制されるラジオ放送受信装置を安価にて提供する。【解決手段】ラジオ放送受信装置は、メイン基板(20)と、メイン基板(20)の少なくとも一部と対向する第一のサブ基板(30)と、メイン基板(20)と第一のサブ基板(30)とを接続する第一のコネクタと、メイン基板(20)に設けられた、アナログ放送及び第一のデジタル放送受信用の第一の高周波受信回路、並びに、アナログ放送復調回路と、第一のサブ基板(30)に設けられ、第一のコネクタを介して第一の高周波受信回路に電気的に接続されるデジタル放送復調回路と、メイン基板(20)上に配置され、第一の高周波受信回路を覆う金属製のケース(27)とを備える。【選択図】図２
2010206353.tif 000002
【特許請求の範囲】
【請求項１】
メイン基板と、
前記メイン基板の少なくとも一部と対向する第一のサブ基板と、
前記メイン基板と前記第一のサブ基板とを接続する第一のコネクタと、
前記メイン基板に設けられた、アナログ放送及び第一のデジタル放送受信用の第一の高周波受信回路、並びに、アナログ放送復調回路と、
前記第一のサブ基板に設けられ、前記第一のコネクタを介して前記第一の高周波受信回路に電気的に接続されるデジタル放送復調回路と、
前記メイン基板上に配置され、前記第一の高周波受信回路を覆う金属製のケースと
を備えることを特徴とするラジオ放送受信装置。
【請求項２】
請求項１記載のラジオ放送受信装置において、
前記第一のサブ基板の少なくとも一部と対向する第二のサブ基板と、
前記第一のサブ基板と前記第二のサブ基板とを接続する第二のコネクタと、
前記第二のサブ基板に設けられ、前記第二のコネクタを介して前記デジタル放送復調回路に電気的に接続される第二のデジタル放送受信用の第二の高周波受信回路と
を更に備えることを特徴とする請求項１記載のラジオ放送受信装置。
【請求項３】
請求項１又は２に記載のラジオ放送受信装置において、
前記第一の高周波受信回路は、ＡＭ放送及びＦＭ放送のうち少なくとも一方の帯域の受信回路である
ことを特徴とするラジオ放送受信装置。
【請求項４】
請求項１乃至３の何れかに記載のラジオ放送受信装置において、
前記第二の高周波受信回路は欧州向けデジタルラジオ受信回路である
ことを特徴とするラジオ放送受信装置。
【発明の詳細な説明】
【技術分野】
【０００１】
本発明はラジオ放送受信装置に関する。
【背景技術】
【０００２】
近年、ラジオ放送受信装置には、デジタル復調機能を有するものがある。
この種のラジオ放送受信装置として、例えば、特許文献１が開示する高周波装置は、筐体内に第１の基板部と第２の基板部とを有する。第１の基板部は、高周波信号をＦＭ復調し、第２の基板部は、ＦＭ復調された信号をデジタル復調する。
ここで、この先行技術の高周波装置にあっては、第１の基板部と第２の基板部との間での電気的影響をなくすべく、第１の基板部及び第２の基板部のアース面が相互に対向させられている。
【先行技術文献】
【特許文献】
【０００３】
【特許文献１】特開平９−９７９９３号公報（例えば、請求項１１、段落番号００１６、図３等）
【発明の概要】
【発明が解決しようとする課題】
【０００４】
しかしながら、先行技術の高周波装置にあっても、第１の基板部及び第２の基板部が同一の筐体内にあることから、第２の基板部がデジタル復調を行うと、その電気的影響を受けて第１の基板部でノイズが発生してしまう。
【０００５】
一方、日本ではアナログラジオ放送が主体であるのに対し、欧州ではＤＡＢ（Digital Audio Broadcasting）と称されるデジタルラジオ放送が行われており、米国ではＩＢＯＣ（In Band On Channel）方式のデジタルラジオ放送が行われている。
そして、日本、欧州及び米国のラジオ放送では、アナログとデジタルという違いのみならず、周波数帯においても違いがあるため、日本、欧州及び米国ではラジオ放送受信装置の仕様が異なってしまう。複数の仕様を別々に製造した場合、ラジオ放送方受信装置の価格が高くなってしまう。
【０００６】
本発明は上記した事情に鑑みてなされ、その目的とするところは、アナログ及びデジタルのラジオ放送を受信可能であって、ノイズの発生が十分に抑制されるラジオ放送受信装置を安価に提供することにある。
【課題を解決するための手段】
【０００７】
上記の課題を解決するため、本発明は以下の解決手段を採用する。
【０００８】
解決手段１：本発明の一態様によれば、メイン基板と、前記メイン基板の少なくとも一部と対向する第一のサブ基板と、前記メイン基板と前記第一のサブ基板とを接続する第一のコネクタと、前記メイン基板に設けられた、アナログ放送及び第一のデジタル放送受信用の第一の高周波受信回路、並びに、アナログ放送復調回路と、前記第一のサブ基板に設けられ、前記第一のコネクタを介して前記第一の高周波受信回路に電気的に接続されるデジタル放送復調回路と、前記メイン基板上に配置され、前記第一の高周波受信回路を覆う金属製のケースとを備えることを特徴とするラジオ放送受信装置が提供される。
【０００９】
本発明のラジオ放送受信装置によれば、第一の高周波受信回路は、金属製のケースのシールド効果によって、デジタル放送復調回路の電気的影響を受けない。この結果として、このラジオ放送受信装置によれば、ノイズの発生が抑制された状態で、アナログ放送及びデジタル放送が受信及び復調される。
【００１０】
解決手段２：ラジオ放送受信装置は、好ましくは、前記第一のサブ基板の少なくとも一部と対向する第二のサブ基板と、前記第一のサブ基板と前記第二のサブ基板とを接続する第二のコネクタと、前記第二のサブ基板に設けられ、前記第二のコネクタを介して前記デジタル放送復調回路に電気的に接続される第二のデジタル放送受信用の第二の高周波受信回路とを更に備える。
【００１１】
解決手段２のラジオ放送受信装置では、第二の高周波受信回路が、第一の高周波受信回路とは異なる周波数帯のラジオ放送を受信する。従って、このラジオ放送受信装置によれば、より多くのラジオ放送が受信及び復調される。
【００１２】
解決手段３：好ましくは、前記第一の高周波受信回路は、ＡＭ放送及びＦＭ放送のうち少なくとも一方の帯域の受信回路である。
【００１３】
解決手段３のラジオ放送受信装置では、第一の高周波受信回路によって、ＡＭ放送及びＦＭ放送のうち一方又は両方が受信される。この場合、第一の高周波受信回路によって、使用する周波数帯の関係から、日本のアナログのラジオ放送はもとより、米国のデジタルのラジオ放送も受信される。この結果として、このラジオ放送受信装置は、日本のみならず米国でも使用可能である。
【００１４】
解決手段４：好ましくは、前記第二の高周波受信回路が欧州向けデジタルラジオ受信回路である。
【００１５】
解決手段４のラジオ放送受信装置では、第二の高周波受信回路によって、欧州のデジタルラジオ放送が受信される。この場合、第二の高周波受信回路によって受信されたデジタル信号を、デジタル復調回路が復調することによって、欧州のデジタルラジオ放送が受信及び復調される。一方、欧州のアナログ放送は、第一の高周波受信回路によって受信され、アナログ復調回路で復調される。
従って、このラジオ放送受信装置によれば、欧州のアナログ及びデジタルのラジオ放送を全て受信及び復調可能である。
【発明の効果】
【００１６】
以上のように本発明によれば、ノイズの発生が抑制されながら、アナログ及びデジタルのラジオ放送が受信及び復調される。
また、本発明によれば、メイン基板及び第一のサブ基板に、必要に応じて更に第二のサブ基板に機能が分担させられている。これらの基板を適当に組み合わせることで、例えば日本、米国、及び、欧州等の仕向地に応じて、仕様が容易に変更される。
その上、メイン基板は仕向地にかかわらず共通に使用され、第一のサブ基板は、米国及び欧州のいずれの仕様においても共通に使用されることから、これらの原価が低減される。この結果として、本発明によれば、複数の仕様のラジオ放送受信装置が安価にて提供される。
【図面の簡単な説明】
【００１７】
【図１】第一実施形態に係るラジオ放送受信装置をセット基板に接続された状態にて概略的に示す斜視図である。
【図２】図１のラジオ放送受信装置を分解した状態で示す斜視図である。
【図３】図１のラジオ放送受信装置の電気回路の概略を示すブロック図である。
【図４】第二実施形態に係るラジオ放送受信装置をセット基板に接続された状態にて概略的に示す斜視図である。
【図５】図４のラジオ放送受信装置を分解した状態で示す斜視図である。
【図６】図４のラジオ放送受信装置の電気回路の概略を示すブロック図である。
【発明を実施するための形態】
【００１８】
以下、本発明の実施形態について図面を参照しながら説明する。
【００１９】
〔第一実施形態〕
図１は、第一実施形態に係るラジオ放送受信装置をセット基板１０に接続された状態にて概略的に示す。ラジオ放送受信装置は、ラジオ放送を受信して復調し、これによって得られた音声信号をセット基板１０に供給する。ラジオ放送受信装置及びセット基板１０は、例えばカーステレオのラジオを構成し、音声信号は、適当に増幅されてスピーカーから出力される。
ラジオ放送受信装置は、例えば、米国向けのカーステレオに適用され、米国でアナログ放送及びデジタル放送を受信可能である。なお、米国のデジタル放送はＩＢＯＣ方式を採用している。
【００２０】
具体的には、ラジオ放送受信装置は、メイン基板２０を有し、メイン基板２０には、その側縁に沿って、例えば１００ピン用のソケット２１が取り付けられている。セット基板１０には、例えば、１００ピンのプラグ１１が取り付けられており、ソケット２１に対し、プラグ１１が引き抜き可能に差し込まれる。つまり、ソケット２１及びプラグ１１は、メイン基板２０とセット基板１０とを機械的及び電気的に接続するためのコネクタを構成している。
なお、ソケット２１及びプラグ１１は、セット基板１０に対して、メイン基板２０が垂直になるよう、それぞれ配置されている。
【００２１】
また、ラジオ放送受信装置は、第一のサブ基板３０を有し、第一のサブ基板３０の広さは、メイン基板２０に比べて同等か若しくは小さい。第一のサブ基板３０の一方の面には、例えば１２ピン用のソケット３２と２０ピン用のソケット３３とが取り付けられている。これらソケット３２，３３は、サブ基板３０の端縁に沿うようにそれぞれ配置され、サブ基板３０の長さ方向に相互に離間している。
【００２２】
一方、メイン基板２０には、例えば６ピンのプラグ２２と１０ピンのプラグ２３が取り付けられている。これらプラグ２２，２３は、セット基板１０の端縁に沿うようにそれぞれ配置され、ソケット２１の長さ方向に相互に離間している。
これらのプラグ２２，２３は、ソケット３２，３３に対して引き抜き可能にそれぞれ差し込まれる。つまり、ソケット３２，３３及びプラグ２２，２３は、メイン基板２０と第一のサブ基板３０とを、一定の間隔を存して機械的及び電気的に接続するためのコネクタ（第一のコネクタ）を構成している。
【００２３】
なお、ソケット３２，３３及びプラグ２２，２３は、ソケット２１に占有された領域を除いたメイン基板２０の領域と、第一のサブ基板３０の略全域とが対向するように、それぞれ配置されている。従って、第一のサブ基板３０も、セット基板１０に対して垂直に配置されている。
【００２４】
図２は、ラジオ放送受信装置を分解した状態で示す斜視図である。
図２に示したように、メイン基板２０には、プラグ２２，２３が取り付けられたのと同一の面（第一の面）に、例えば２つのＬＳＩチップ２４，２５が実装されている。これらＬＳＩチップ２４，２５は、プラグ２２とプラグ２３との間に位置付けられている。
また、メイン基板２０には、他方の面に例えば１つのＬＳＩチップ２６が実装されている。
【００２５】
更に、メイン基板２０の第一の面には、ＬＳＩチップ２４，２５を覆うように金属製のシールドケース２７が取り付けられている。シールドケース２７は、例えば、メイン基板２０と第一のサブ基板３０との間に配置可能なように偏平な直方体形状をなし、第一の面側にのみ開口を有する。シールドケース２７の開口縁は、メイン基板２０の第一の面にほぼ当接している。
【００２６】
一方、第一のサブ基板３０には、ソケット３２，３３とは反対側の面の略中央に、例えば１つのＬＳＩチップ３４が実装されている。また、当該反対側の面には、第一のサブ基板３０の端縁に沿うように、フラットケーブル用の接続端子３５が取り付けられている。ただし、接続端子３５は省略してもよい。
【００２７】
図３は、ラジオ放送受信装置の電気回路の概略を示すブロック図である。
〔フロントエンド〕
図３に示したように、メイン基板２０に実装されたＬＳＩチップ２４，２５は、フロントエンドを構成している。具体的には、ＬＳＩチップ２４，２５は同調部４０を有し、同調部４０には、外部のアンテナ１２が電気的に接続される。同調部４０は、選択された周波数を有する高周波の電磁波をアンテナ１２と協働して受信し、受信した電磁波を受信信号として出力する。
【００２８】
同調部４０の出力側には、高周波増幅部４１が電気的に接続されている。高周波増幅部４１は、入力された受信信号を適当な増幅率にて増幅し、出力する。
高周波増幅部４１の出力側には、周波数混合部４２が電気的に接続されている。また、周波数混合部４２は、所定周波数の信号（局部発振信号）を出力する局部発振部４３に接続されている。周波数混合部４２は、入力された受信信号と局部周波数信号とを混合し、中間周波数信号を生成する。
【００２９】
周波数混合部４２の出力側には、中間周波数増幅部４４が接続されている。中間周波数増幅部４４は、入力された中間周波数信号を増幅して出力する。
なお、フロントエンドは、ＡＭ放送及びＦＭ放送のうち一方又は両方を受信可能であることが好ましい。
【００３０】
〔アナログバックエンド〕
また図３に示したように、メイン基板２０に実装されたＬＳＩチップ２６は、アナログバックエンドを構成している。具体的には、ＬＳＩチップ２６は、Ａ／Ｄ変換部５０を有し、Ａ／Ｄ変換部５０は、中間周波数信号をデジタル信号に変換して出力する。
Ａ／Ｄ変換部５０の出力側には復調部５１が接続され、復調部５１は入力されたデジタル信号を復調して、例えばステレオ形式の音声信号を得る。音声信号は、コネクタを通じてセット基板１０に供給され、そして、スピーカー等の出力装置を通じて音声として出力される。
【００３１】
なお、フロントエンドに対応して、アナログバックエンドも、アナログのＡＭ放送及びＦＭ放送のうち一方又は両方を復調可能であることが好ましい。
【００３２】
〔デジタルバックエンド〕
一方、図３に示したように、第一のサブ基板３０に実装されたＬＳＩチップ３４は、同じく第一のサブ基板３０に実装された、不揮発性の書き換え可能なメモリであるフラッシュメモリ６１及び揮発性の書き換え可能なメモリであるＳＤＲＡＭ（Synchronous Dynamic Random Access Memory）６２とともに、デジタルバックエンドを構成している。ＬＳＩチップ３４は、ＩＢＯＣプロセッサー６０であり、ＩＢＯＣ方式のデジタルラジオ放送をフロントエンドが受信したときに、アナログバックエンド及び第一のコネクタを介して、フロントエンドから中間周波数信号を受け取る。そして、ＬＳＩチップ３４は、受け取った中間周波数信号を復調し、デジタルの音声信号を出力する。この音声信号は、第一のコネクタ及びアナログフロントエンドを構成するＬＳＩチップ３４を介して、セット基板１０に供給される。
【００３３】
具体的には、ＩＢＯＣプロセッサー６０は、フラッシュメモリ６１に記憶されたＩＢＯＣ方式のためのプログラムに従って、ＳＤＲＡＭ６２を利用しながら、中間周波数信号を復調し、デジタルの音声信号を得る。得られたデジタルの音声信号の伝送方式としては、例えばＩ２Ｓ（Inter IC Sound）方式を採用することができる。
なお、図２中では、フラッシュメモリ６１及びＳＤＲＡＭ（Synchronous Dynamic Random Access Memory）６２は省略されている。
デジタルバックエンドも、フロントエンドに対応して、デジタルバックエンドも、デジタルのＡＭ放送及びＦＭ放送のうち一方又は両方を復調可能であることが好ましい。
【００３４】
なお、不揮発性の書き換え可能なフラッシュメモリ６１に代えて、不揮発性の読み込みのみ可能なメモリであるＲＯＭを使用してもよい。
【００３５】
上述した第一実施形態のラジオ放送受信装置によれば、フロントエンド（第一の高周波受信回路）を構成するＬＳＩチップ２４，２５が、金属製のシールドケース２７のシールド効果によって、デジタルバックエンド（デジタル放送復調回路）を構成するＬＳＩチップ３４の電気的影響を受けない。この結果として、このラジオ放送受信装置によれば、ノイズの発生が抑制された状態で、アナログ放送及びデジタル放送が受信及び復調される。
【００３６】
また、上述した第一実施形態のラジオ放送受信装置では、フロントエンドによって、ＡＭ放送及びＦＭ放送のうち一方又は両方が受信される。この場合、フロントエンドによって、米国のデジタルのラジオ放送が受信される。この結果として、このラジオ放送受信装置は米国で使用可能である。
【００３７】
なお、使用する周波数帯の関係から、上述した第一実施形態のラジオ放送受信装置から第一のサブ基板３０を省略しても、アナログのＡＭ及びＦＭラジオ放送を受信して復調することが可能である。従って、第一実施形態のラジオ放送受信装置から第一のサブ基板３０を省略すれば、アナログ用のラジオ放送受信装置が得られる。
【００３８】
〔第二実施形態〕
以下、第二実施形態に係るラジオ放送受信装置について説明する。第二実施形態のラジオ放送受信装置は、例えば、欧州向けのカーステレオに適用され、欧州でアナログ放送及びデジタル放送（ＤＡＢ）を受信可能である。
なお、第一実施形態と同一の構成及び機能を有する部材については、同一の符合を付して説明を省略する。
【００３９】
図４は、第二実施形態に係るラジオ放送受信装置をセット基板１０に接続された状態にて概略的に示す。このラジオ放送受信装置は、第二のサブ基板７０を更に有し、第二のサブ基板７０の広さは、第一のサブ基板３０と比べて同じか若しくは小さい。
【００４０】
図５は、ラジオ放送受信装置を分解して示す斜視図である。図５に示したように、第二のサブ基板７０には、その端縁に沿うように例えば１２ピン用のソケット７１が取り付けられている。一方、第一のサブ３０には、例えば６ピンのプラグ３６が、ソケット３２とは反対側の面に取り付けられている。プラグ３６は、第一のサブ基板３０の端縁に沿うように配置され、ソケット３２の裏側に位置している。従って、プラグ３６と接続端子３５との間に、ＬＳＩチップ３４が位置している。
【００４１】
ソケット７１に対しては、プラグ３６が引き抜き可能に差し込まれる。つまり、ソケット７１及びプラグ３６は、第一のサブ基板３０と第２のサブ基板７０とを、一定の間隔を存して機械的及び電気的に接続するためのコネクタ（第二のコネクタ）を構成している。
【００４２】
なお、ソケット７１及びプラグ３６は、第一のサブ基板３０と第二のサブ基板７０の略全域とが対向するように、それぞれ配置されている。メイン基板１０、第一のサブ基板３０及び第二のサブ基板７０は相互に平行であり、第二のサブ基板７０も、セット基板１０に対して垂直に配置されている。
また、第二のサブ基板７０には、ソケット７１とは反対側の面の略中央に、例えば２つのＬＳＩチップ７４，７５が実装されている。
【００４３】
図６は、第二実施形態のラジオ放送受信装置の電気回路の概略を示すブロック図である。
〔フロントエンド〕
図６に示したように、第二のサブ基板７０に実装されたＬＳＩチップ７４，７５は第二のフロントエンド（第二の高周波受信回路）を構成している。具体的には、ＬＳＩチップ２４，２５は、ＢａｎｄIII（ＶＨＦ帯）及びＬ−Ｂａｎｄ（１．４ＧＨｚ）の両方のためのフロントエンドを構成し、ＢａｎｄIII及びＬ−Ｂａｎｄのための同調部８０，８１を別々に有する。
なお、このフロントエンドは、ＢａｎｄIII及びＬ−Ｂａｎｄを受信可能であることが好ましいが、他の周波数帯の高周波を受信可能であってもよい。
【００４４】
同調部８０，８１には、外部のアンテナ１４が電気的に接続され、同調部８０，８１は、選択された周波数を有する高周波の電磁波をアンテナ１４と協働して受信し、受信した電磁波を受信信号として出力する。
【００４５】
同調部８０，８１の出力側には、高周波増幅部８２，８３が電気的に接続されている。高周波増幅部８２，８３は、入力された受信信号を適当な増幅率にて増幅し、出力する。
高周波増幅部８２，８３の出力側には、周波数混合部８４が電気的に接続されている。また、周波数混合部８４は、所定周波数の信号（局部発振信号）を出力する局部発振部８５に接続されている。周波数混合部８４は、高周波増幅部８２，８３のうち一方からの受信信号と局部周波数信号とを混合し、中間周波数信号を生成する。
【００４６】
周波数混合部８４の出力側には、中間周波数増幅部８６が接続されている。中間周波数増幅部８６は、入力された中間周波数信号を増幅して出力する。そして、中間周波数増幅部８６の出力側には、インターフェース部８７が接続されている。
インターフェース部８７を介して、中間周波数増幅部８６は第一のサブ基板３０に実装されたＬＳＩチップ３４に電気的に接続されており、インターフェース部８７を介して、増幅された中間周波数信号がＬＳＩチップ３４に供給される。
【００４７】
本実施形態では、中間周波数信号を復調可能なプログラムがフラッシュメモリ６１にあらかじめ記憶さられている。
このため、ＬＳＩチップ３４は、ＤＡＢプロセッサー６５であり、米国のＩＢＯＣ方式のデジタルラジオ放送を復調する機能に代えて、欧州のデジタルラジオ放送を復調処理する機能を有する。
【００４８】
ＤＡＢプロセッサー６５は、入力された中間周波数信号を復調し、復調して得られたデジタルの音声信号を出力する。ＤＡＢプロセッサー６５の音声信号は、第一実施形態の場合と同様に、第一のコネクタ及びＬＳＩチップ３４を介して外部に出力される。
【００４９】
上述した第２実施形態のラジオ放送受信装置が欧州で使用される場合、ＬＳＩチップ２４，２５が構成する第一のフロントエンドはアナログ放送を受信する。
一方、ＬＳＩチップ７４，７５によって構成される第二のフロントエンドは、第一のフロントエンドとは異なる周波数帯のデジタルラジオ放送を受信する。従って、このラジオ放送受信装置によれば、より多くのラジオ放送が受信及び復調される。
すなわち、このラジオ放送受信装置によれば、欧州向けのアナログ及びデジタルのラジオ放送の略大半若しくは全部が受信・復調される。
【００５０】
以上のように第一実施形態及び第二実施形態のラジオ放送受信装置によれば、ノイズの発生が抑制されながら、アナログ及びデジタルのラジオ放送が受信及び復調される。
また、第一実施形態及び第二実施形態のラジオ放送受信装置によれば、メイン基板２０、第一のサブ基板３０、及び、場合によって第二のサブ基板７０に機能を分担させたことで、これらの基板２０，３０，７０を適当に組み合わせることで、例えば日本、米国、及び、欧州等の仕向地に応じて、仕様が容易に変更される。
【００５１】
その上、メイン基板２０は仕向地にかかわらず共通に使用され、第一のサブ基板３０は、ソフト書き換えにより米国仕様及び欧州仕様で共通に使用されることから、量産効果によってこれらの基板２０，３０の原価が低減される。この結果として、第一実施形態及び第二実施形態のラジオ放送受信装置は安価にて提供される。
【００５２】
本発明は、上述した第一及び第二実施形態に限定されることはなく、種々の変形が可能である。例えば、第一及び第二実施形態のラジオ放送受信装置は、カーステレオ以外のオーディオ機器に適用可能である。
第二実施形態のラジオ放送受信装置では、第二のサブ基板７０にＬＳＩチップ７４，７５を実装して第二のフロントエンドを構成したけれども、第二のサブ基板７０を省略し、ＬＳＩチップ７４，７５を第一のサブ基板３０に実装してもよい。
【００５３】
第一及び第二実施形態において、メイン基板２０、第一のサブ基板３０及び第二のサブ基板７０に実装されるＬＳＩチップの数は、特に限定されることはなく、ＬＳＩチップの仕様に応じて、適宜選択可能である。また、必要に応じて、ＬＳＩチップ以外の電子素子をメイン基板２０、第一のサブ基板３０及び第二のサブ基板７０に実装してもよい。
【００５４】
第一及び第二実施形態において、メイン基板２０と第一のサブ基板３０との間を接続する第一のコネクタ、及び、第一のサブ基板３０と第二のサブ基板７０との間を接続する第二のコネクタの仕様は特に限定されることはなく、ＬＳＩチップの仕様に応じて、適宜選択可能である。
【００５５】
第一及び第二実施形態において、ＬＳＩチップ３４は、ソフト書き換えによって米国仕様及び欧州仕様のラジオ放送受信装置に適用可能なものであったが、米国専用又は欧州専用のものであってもよい。
【符号の説明】
【００５６】
１０      セット基板
２０      メイン基板
２２      プラグ（第一のコネクタ）
２３      プラグ（第一のコネクタ）
２４      ＬＳＩチップ（第一の高周波受信回路）
２５      ＬＳＩチップ（第一の高周波受信回路）
２６      ＬＳＩチップ（アナログ放送復調回路）
２７      シールドケース
３０      第一のサブ基板
３２      ソケット（第一のコネクタ）
３３      ソケット（第一のコネクタ）
３４      ＬＳＩチップ（デジタル放送復調回路）
３６      プラグ（第二のコネクタ）
７０      第二のサブ基板
７１      ソケット（第二のコネクタ）
７４      ＬＳＩチップ（第二の高周波受信回路）
７５      ＬＳＩチップ（第二の高周波受信回路）
【図１】
2010206353.tif 000003
【図２】
2010206353.tif 000004
【図３】
2010206353.tif 000005
【図４】
2010206353.tif 000006
【図５】
2010206353.tif 000007
【図６】
2010206353.tif 000008